(57)【要約】【課題】  キャスター付き家具を、容易な作業により安定固定できるとともに移動可能な状態に復帰できるようにする。【解決手段】  キャスター付き家具Ｆの底面２に下降可能に設けられて下降位置においてキャスター付き家具Ｆの底面２に相対する床面に当接する当接部２０と、当接部２０を上昇、下降させる作動部と、作動部を下降作動させるロック操作部９と、作動部を上昇作動させるロック解除操作部１１とを備えるキャスター付き家具の固定装置。【選択図】図２
2012232082.tif 000002
【特許請求の範囲】
【請求項１】
キャスター付き家具の底面に下降可能に設けられ、下降位置において前記キャスター付き家具の底面に相対する床面に当接する当接部と、
前記当接部を上昇、下降させる作動部と、
前記作動部を前記下降のために作動させるロック操作部と、
前記作動部を前記上昇のために作動させるロック解除操作部と、
を備えることを特徴とするキャスター付き家具の固定装置。
【請求項２】
前記当接部が密着性樹脂材よりなる面体により構成される請求項１記載のキャスター付き家具の固定装置。
【請求項３】
前記ロック操作部及び前記ロック解除操作部が、足踏み動作により操作される請求項１記載のキャスター付き家具の固定装置。
【請求項４】
前記当接部、前記作動部、前記ロック操作部、前記ロック解除操作部のそれぞれが前記キャスター付き家具の底面に取り付けられるベースプレート上に一体に配置されて構成されるキャスター付き家具の固定装置。
【発明の詳細な説明】
【技術分野】
【０００１】  この発明は、キャスター付き家具の固定装置に関する。
【背景技術】
【０００２】  例えば、病院でベットの枕元に配置される床頭台には底面にキャスターが取り付けられており、これにより配置位置や配置方向が容易に変えられることで便利に使用されている。
【発明の概要】
【発明が解決しようとする課題】
【０００３】  しかしながら、一方では配置状態が安定しないという問題があり、とくに、地震が発生した場合には大きく移動して危険な状態が発生する。例えば、キャスターそのものに回転ロック機構を持たせたものが提供されているが、通常キャスター自身が家具に対してその進行方向を任意とするように回転可能に取り付けられているのでその方向における回転が阻止されず、やはり、安定しなかった。【０００４】  この発明では、キャスター付き家具を、容易な作業により安定固定できるとともに移動可能な状態に復帰できるようにすることを目的とする。
【課題を解決するための手段】
【０００５】  この発明では、キャスター付き家具の底面に下降可能に設けられ、下降位置において前記キャスター付き家具の底面に相対する床面に当接する当接部と、前記当接部を上昇、下降させる作動部と、前記作動部を前記下降のために作動させるロック操作部と、前記作動部を前記上昇のために作動させるロック解除操作部とを備えることを特徴とするキャスター付き家具の固定装置を提供する。【０００６】  この発明の構成によれば、ロック操作部の操作により当接部が下降してキャスター付き家具の底面に相対する床面に当接することで家具をロック状態とでき、ロック解除操作部を操作することで当接部が上昇してロック状態が解除される。これにより、キャスター付き家具を必要に応じ所望位置に固定配置でき、かつ、容易に移動可能状態に復帰できる。【０００７】  当接部がシリコン樹脂やテフロン樹脂等の密着性樹脂材よりなる面体により構成されることで、床面に密着してロック状態が安定する。また、ロック操作部及びロック解除操作部が足踏み動作により操作される構成とすることで、操作者は立った状態で大きな力をかけられることで容易に操作が行える。また、当接部、作動部、ロック操作部、ロック解除操作部の全ての要素がキャスター付き家具の底面に取り付けられるベースプレート上に一体に配置される構成とすることで、全ての要素を予め装着したベースプレートを家具の底面に取り付けるようにすることで容易に固定装置の取り付けがなされ、これにより既存の家具への装置の取り付けも可能となる。
【発明の効果】
【０００８】  この発明によれば、キャスター付き家具が容易な作業により安定固定できるとともに移動可能な状態に復帰できるようになり、これによりキャスター付き家具を安全に使用できるようになる。
【図面の簡単な説明】
【０００９】
【図１】  この発明のキャスター付き家具の固定装置が使用されたキャスター付き家具の斜視図
【図２】  この発明のキャスター付き家具の固定装置の使用状態斜視図
【図３】  この発明のキャスター付き家具の固定装置の操作部の作動説明構成図
【図４】  この発明のキャスター付き家具の固定装置の操作部の作動説明構成図
【図５】  この発明のキャスター付き家具の固定装置の操作部の部品図
【図６】  この発明のキャスター付き家具の固定装置の固定部の作動説明構成図
【図７】  この発明のキャスター付き家具の固定装置の固定部の作動説明構成図
【図８】  この発明のキャスター付き家具の固定装置の固定部の部品図
【発明を実施するための形態】
【００１０】  図１はこの発明のキャスター付き家具の固定装置が使用されたキャスター付き家具の斜視図、図２はキャスター付き家具の固定装置の使用状態斜視図である。
【００１１】  キャスター付き家具Ｆは床頭台であり、固定装置１はキャスター４が取り付けられた家具Ｆの底面２に装着使用されている。３はベースプレートでその前端面上に操作部５が配置され後部両端面上に固定部７のそれぞれが配置される。操作部５にはロックレバー（ロック操作部）９とロック解除レバー（ロック解除操作部）１１とが設けられ、ロックレバー９の踏み込み（矢印Ａ）に連動して第１作動プレート１３が前進し（矢印Ｂ）、この第１プレート１３に連動して第２プレート１５が前進し（矢印Ｃ）、この第２プレート１５に連動して第３プレート１７のそれぞれが内側に進み（矢印Ｄ）、この第３プレート１７のそれぞれに連動して固定部７それぞれの当接部２０のそれぞれが下降（矢印Ｅ）するようになっている。上記ロックレバー９及びロック解除レバー１１と当接部２０との間の連動構造がこの発明の作動部を構成する。
【００１２】  第１プレート１３の後端は第２プレート１５の前側中央に固定され、第２プレート１５はコイルバネ１６により後方に付勢されている。第２プレート１５には一対のガイド孔１８が斜め方向に設けられており、これらガイド孔１８それぞれに第３プレート１７の端部に立設されたガイドピン１９のそれぞれが差し入れられており、第２プレート１５の前後の移動に対応してガイド孔１８内をガイドピン１９が移動することで第３プレート１７それぞれが内外方向に移動するようになっている。２１は第１プレート１３の移動ガイドカバー、２２のそれぞれは第３プレート１７それぞれの移動ガイドカバーである。
【００１３】  次に、図３、図４の固定装置１の操作部５の作動説明構成図と図５の操作部５の部品図を参照して操作部５の構成及び動作を説明する。３０は取り付け台であり、その内側にロック操作レバー９が、外側の一方にロック解除レバー１１が回転可能に軸支持されて取り付けられている。それぞれの軸支は、ＧにＨが、ＩにＪが、ＫにＬがそれぞれ対応するようになされる。ロック操作レバー９の相対する軸支片３２間には水平にガイドピン３３が設けられ、一方の軸支片３２の外周にはロック用ギヤ３４が設けられている。ロック解除操作レバー１１は基部片３５に端部片３６が互いにＭ、Ｎ位置で回転可能に軸支持されて連結され、基部片３５のＭ位置の軸支持孔は長穴とされている。端部片３６の上部には水平方向に係合部３７が設けられており、この係合部３７は上記ロック用ギヤ３４に係合する。なお、図示していないが、ロック解除レバー１１は端部片３６において取り付け台３０に、係合部３７がロック用ギヤ３４に係合する方向に付勢されるようにバネを介して取り付けられている。第１プレート１３の前端には係止長孔４０を備える一対の係止部４１が一体に下方に突出して設けられ、その係止長孔４０それぞれに上記ガイドピン３３の両端部分が挿通され、これによりロック操作レバー９と第１プレート１３とは連動する構成となっている。操作部５の実際の組み立ては、第１プレート１３の端部にガイドピン３３を介してロック操作レバー９を組み付けたものを取り付け台３０内に取り付け、その外側面にロック解除レバー１１を取り付けて行う。
【００１４】  図３は非ロック時の状態（図２の状態）を示し、ロック操作レバー９は傾斜状態に位置しており、係合部３７はロック用ギヤ３４のガイドピン３３に近い位置に係合している。この状態においては当接部２０それぞれは上昇した位置である床面から浮いた位置にあり、キャスター４が床面に接することで家具Ｆは移動可能となっている（図６参照）。図３に示す状態においてロック操作レバー９を踏み込むと、図４に示すように、ロック操作レバー９は回転することでそのガイドピン３３が前方に移動し、これに伴って第１プレート１３は前方に移動される。また、ロック操作レバー９の回転により係合部３７はロック用ギヤ３４のガイドピン３３から遠い位置に係合し、これにより第１プレート１３は前方に移動された位置に固定される。
【００１５】  次に、図６、図７の固定装置１の固定部７の作動説明構成図と図８の固定部７の部品図を参照して固定部７の構成及び動作を説明する。５０は取り付け台であり、その内側に回転レバー５２が回転可能に軸支持されて取り付けられ、その回転レバー５２下端に回転可能にシリコン樹脂プレートよりなる当接部２０が取り付けられている。回転レバー５２の相対する軸支片５４間には水平にガイドピン５５が設けられている。第３プレート１７のそれぞれの外端には係止長孔５７を備える一対の係止部５８が一体に下方に突出して設けられ、その係止長孔５７に上記ガイドピン５５の両端部分が挿通され、これにより回転レバー５２と第３プレート１７のそれぞれとは連動する構成となっている。固定部７の実際の組み立ては、第３プレート１７の端部にガイドピン５５を介して回転レバー５２を組み付けたものを取り付け台５０内に取り付けて行う。
【００１６】  図６は非ロック時の状態（図２、図３の状態）を示し、回転レバー５２は傾斜状態に位置しており、当接部２０は上昇して床面Ｘから浮いた位置にあり、キャスター４が直接に床面Ｘに接することで家具Ｆは移動可能となっている。キャスター４の高さ位置を点線により図示している。図４に示すように、ロック操作レバー９が踏み込まれ第１プレート１３が前方に移動されると、それに一体の第２プレート１５が前方に移動され、そのガイド孔１８それぞれに沿ってガイドピン１９それぞれが移動することで第３プレート１７のそれぞれは内側に移動する。この第３プレート１７の移動に連動して回転レバー５２は回転し、これにより直立状態となることで当接部２０は下降される。当接部２０はその下面がキャスター４の下端の位置より若干下方の位置まで下降され、これにより当接部２０の下面が床面Ｘに当接して家具Ｆがロック（所定位置に固定）される。その際、当接部２０がシリコン樹脂よりなり密着性が優れることで床面Ｘに密着し、その固定が安定してなされる。
【００１７】  ロックの解除は、図４の状態において、ロック解除レバー１１を踏み込むことで行われ、踏み込により基部片３５が回転してその端部片３６との軸支持部３９位置が上昇すると、基部片３５と端部片３６とはその軸支持部３９位置で折れ曲がり状態となり、これにより係合部３７が開くように変位（矢印Ｍ）することでロック用ギヤ３４から外れる。これにより第１プレート１３はコイルバネ１６で付勢されていることで後方に移動され、これに伴って第２プレート１５、第３プレート１７がロック時と逆方向に移動されて当接部２０は上昇してロックが解除される。
【符号の説明】
【００１８】１      固定装置
４      キャスター
９      ロック操作レバー（ロック操作部）
１１    ロック解除操作レバー（ロック解除操作部）
２０    当接部
Ｆ      キャスター付き家具
Ｘ      床面
【図１】
2012232082.tif 000003
【図２】
2012232082.tif 000004
【図３】
2012232082.tif 000005
【図４】
2012232082.tif 000006
【図５】
2012232082.tif 000007
【図６】
2012232082.tif 000008
【図７】
2012232082.tif 000009
【図８】
2012232082.tif 000010